(57)【要約】      （修正有）【課題】本人であることを確認できる確率の高さ、セキュリティの度合いに応じた取引限度額の設定を行うことができ、安全な取り引きが可能な自動取引装置及び自動取引システムを提供する。【解決手段】自動取引装置において、カードの種類を識別するカード読取部１２と、本人照合データを入力可能な本人照合データ入力部１４と、取引を制限するための情報である取引制限情報を記憶する記憶部１５と、前記カードの種類および前記本人照合データの種類に応じて可能な取引を設定する取引設定部とを有し、前記取引設定部は、前記カードの種類及び前記本人照合データの種類との組み合わせ条件によるセキュリティレベルのランクに応じた取引制限が記憶されている前記取引制限情報に基づいて、前記本人照合データが暗証番号のみの場合はランクの低い取引制限に、前記本人照合データがバイオメトリクス情報併用であった場合はランクの高い取引制限に設定し、取引をする。【選択図】図１
2008305426.tif 000002
【特許請求の範囲】
【請求項１】
顧客が挿入可能な磁気カード、非接触型カード又はＩＣカードからなる異なるカードの種類を識別するカード読取部と、
暗証番号及び／又はバイオメトリクス情報からなる異なった種類の本人照合データを入力可能な本人照合データ入力部と、
前記カードの種類と前記本人照合データにより取引を制限するための情報である取引制限情報を記憶する記憶部と、
前記顧客が挿入したカードの種類および前記本人照合データ入力部により入力された本人照合データの種類に応じて可能な取引を設定する取引設定部とを有し、
前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行することを特徴とする自動取引装置。
【請求項２】
顧客が挿入可能な磁気カード、非接触型カード又はＩＣカードからなる異なるカードの種類を識別するカード読取部と、
暗証番号及び／又はバイオメトリクス情報からなる異なった種類の本人照合データを入力可能な本人照合データ入力部と、
前記カードの種類と前記本人照合データにより取引を制限するための情報である取引制限情報を記憶する記憶部と、
前記顧客が挿入したカードの種類および前記本人照合データ入力部により入力された本人照合データの種類に応じて可能な取引を設定する取引設定部とを有し、
前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合は取引制限額を低く設定し、前記本人照合データが暗証番号とバイオメトリクス情報との併用であった場合は取引制限額を高く設定し、前記取引設定部により設定した取引を実行することを特徴とする自動取引装置。
【請求項３】
顧客が挿入可能な磁気カード、非接触型カード又はＩＣカードからなる異なるカードの種類を識別するカード読取部と、
暗証番号及び／又はバイオメトリクス情報からなる異なった種類の本人照合データを入力可能な本人照合データ入力部と、
前記カードの種類と前記本人照合データにより取引を制限するための情報である取引制限情報を記憶する記憶部と、
前記顧客が挿入したカードの種類および前記本人照合データ入力部により入力された本人照合データの種類に応じて可能な取引を設定する取引設定部と、
該取引設定部に接続されるとともに、銀行のホストセンターとの送受信を行う送受信部とを有し、
前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行することを特徴とする自動取引システム。
【請求項４】
顧客が挿入可能な磁気カード、非接触型カード又はＩＣカードからなる異なるカードの種類を識別するカード読取部と、
暗証番号及び／又はバイオメトリクス情報からなる異なった種類の本人照合データを入力可能な本人照合データ入力部と、
前記カードの種類と前記本人照合データにより取引を制限するための情報である取引制限情報を記憶する記憶部と、
前記顧客が挿入したカードの種類および前記本人照合データ入力部により入力された本人照合データの種類に応じて可能な取引を設定する取引設定部とを有し、
該取引設定部に接続されるとともに、銀行のホストセンターとの送受信を行う送受信部とを有し、
前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合は取引制限額を低く設定し、前記本人照合データが暗証番号とバイオメトリクス情報との併用であった場合は取引制限額を高く設定し、前記取引設定部により設定した取引を実行することを特徴とする自動取引システム。
【発明の詳細な説明】
【技術分野】
【０００１】
本発明は、自動取引装置及び自動取引システムに係り、特に、金融機関やクレジットカード会社等の現金自動預払機（ＡＴＭ）など、利用者が各自で金融取引を行うセルフ操作型社会公共機器などに関するものである。
【背景技術】
【０００２】
従来、ＡＴＭで用いられる本人確認は、磁気カードと暗証番号で行われているのが一般的である。
【０００３】
しかしながら、磁気カードは、磁気ストライプ上のデータの読み取りや偽造が容易である上に、利用者は暗証番号を覚えやすくするため、誕生日など、他人に予測されやすい数字を使っている場合が多い。したがって、セキュリティが低い状態での運用となっており、カードの盗難や紛失により、悪用される可能性が高いのが現状である。
【特許文献１】なし
【発明の開示】
【発明が解決しようとする課題】
【０００４】
さらに、ＡＴＭなどの取引限度額は、利用者の取引額の多少と関わりなく、機器状態や稼働時間、自行他行の違いなどのシステム側の都合や、磁気ストライプ上のデータから判断するカードの種類や顧客情報などにより一律に決められている。
【０００５】
したがって、取引額の多い利用者ほど偽のカード所持者が本人になりすまして利用した場合には、通常時の本人利用と同様に取引できてしまい、カード所有者本人の被害が大きいという問題がある。
【０００６】
だからといって、一律に利用額を低く設定すると利便性が減少してしまう。
【０００７】
そこで、セルフ操作型社会公共機器において、本人であることを確認できる確率の高さ、セキュリティの度合いに応じた取引限度額の設定が望まれている。
【０００８】
本発明は、上記状況に鑑み、本人であることを確認できる確率の高さ、セキュリティの度合いに応じた取引限度額の設定を行うことができ、安全な取り引きが可能な自動取引装置及び自動取引システムを提供することを目的とするものである。
【課題を解決するための手段】
【０００９】
本発明は、上記目的を達成するために、
〔１〕自動取引装置において、顧客が挿入可能な磁気カード、非接触型カード又はＩＣカードからなる異なるカードの種類を識別するカード読取部と、暗証番号及び／又はバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行することを特徴とする。
【００１０】
〔２〕自動取引装置において、顧客が挿入可能な磁気カード、非接触型カード又はＩＣカードからなる異なるカードの種類を識別するカード読取部と、暗証番号及び／又はバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合は取引制限額を低く設定し、前記本人照合データが暗証番号とバイオメトリクス情報との併用であった場合は取引制限額を高く設定し、前記取引設定部により設定した取引を実行することを特徴とする。
【００１１】
〔３〕自動取引システムにおいて、顧客が挿入可能な磁気カード、非接触型カード又はＩＣカードからなる異なるカードの種類を識別するカード読取部と、暗証番号及び／又はバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部と、この取引設定部に接続されるとともに、銀行のホストセンターとの送受信を行う送受信部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行することを特徴とする。
【００１２】
〔４〕自動取引システムにおいて、顧客が挿入可能な磁気カード、非接触型カード又はＩＣカードからなる異なるカードの種類を識別するカード読取部と、暗証番号及び／又はバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部とを有し、この取引設定部に接続されるとともに、銀行のホストセンターとの送受信を行う送受信部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合は取引制限額を低く設定し、前記本人照合データが暗証番号とバイオメトリクス情報との併用であった場合は取引制限額を高く設定し、前記取引設定部により設定した取引を実行することを特徴とする。
【発明の効果】
【００１３】
本発明によれば、自動取引装置及び自動取引システムにおいて、本人であることを確認できる確率の高さ、セキュリティの高さに応じた取引限度額の設定を行うことができ、安全な取り引きを行うことができる。
【発明を実施するための最良の形態】
【００１４】
本発明の自動取引装置は、顧客が挿入可能な磁気カード、非接触型カード又はＩＣカードからなる異なるカードの種類を識別するカード読取部と、暗証番号及び／又はバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行する。
【実施例】
【００１５】
以下、本発明の実施の形態について説明する。
【００１６】
図１は本発明の実施例を示す自動取引装置の取引制御システムの構成図である。
【００１７】
この図において、１１はＡＴＭ本体、１２はカード読取部、１３は虹彩認識などのバイオメトリクス読取識別部、１４は液晶タッチパネル画面などの案内表示部ならびに入力部、１５は記憶部、１６は制御部、１７は設定テーブル、１８は送受信部、１９は銀行のホストセンターである。この送受信部１８から銀行のホストセンター１９へ通信される。
【００１８】
以下、図１を参照しながら動作を説明する。
【００１９】
（ｉ）まず、利用者はＡＴＭ本体１１の入力部１４で希望する取引を選択する。すなわち、
（ii）画面（案内表示部１４）の案内にしたがってカード読取部１２にカードを挿入する。
【００２０】
（iii ）ＡＴＭ本体１１のカード読取部１２は挿入されたカードの種類を識別し、記憶部１５はカードの種類を記憶する。
【００２１】
（iv）同時に暗証番号入力あるいは虹彩照合などの入力、あるいはその両方の本人認証入力を促す案内を案内表示部１４に表示し、バイオメトリクス読取識別部１３で本人の確認を行う。
【００２２】
（ｖ）ＡＴＭ本体１１の制御部１６はカードの種類と、入力された本人照合データから、ランク付けを行い記憶部１５にランクを記憶する（暗証番号の場合は直ちにあるいは取引許可要求電文送信時に、虹彩の場合は直ちに本人確認を行う）。
【００２３】
（vi）ＡＴＭ本体１１は案内表示部１４にランクに応じた取引種別ならびに取引限度額を表示し、通常の処理に準じた処理を行う。扱えない取引を選択していた場合は、取引不可を利用者に通知してカードを返却する。
【００２４】
（vii ）カードの種類、ランクのデータを記憶部１５からクリアして取引を終了する。
【００２５】
ここで、表１はセキュリティレベルのランク付けの例、表２は取引制限設定の例である。
【００２６】
【表１】
2008305426.tif 000003
【００２７】
【表２】
2008305426.tif 000004
まず、表１に示されるように、本発明では、セキュリティレベルの度合いに応じて「１」〜「７」のランク付けを行う。数字が大きくなるほどセキュリティレベルも上がる。
【００２８】
（１）ＭＳ（磁気カード）の場合で暗証番号のみの場合はセキュリティレベルは「１」、バイオメトリクス併用の場合はセキュリティレベルは「２」である。
【００２９】
（２）非接触型カードの場合でマイクロ波、近傍型の場合は、セキュリティレベルは無し、近接型の場合で暗証番号のみの場合はセキュリティレベルは「２」、バイオメトリクスのみの場合はセキュリティレベルは「１」、バイオメトリクス併用の場合はセキュリティレベルは「３」、密着型で暗証番号のみの場合はセキュリティレベルは「５」、バイオメトリクスのみの場合はセキュリティレベルは「４」、バイオメトリクス併用の場合はセキュリティレベルは「６」である。
【００３０】
（３）接触型ＩＣの場合で暗証番号のみの場合はセキュリティレベルは「６」、バイオメトリクスのみの場合はセキュリティレベルは「５」、バイオメトリクス併用の場合はセキュリティレベルは「７」である。
【００３１】
そのセキュリティレベルのランクに対応する取引制限設定の例は表２に示されている。
【００３２】
（１）ランク「１」は、取引毎の制限金額はキャッシングで２０，０００円、送金で１００，０００円、取引内容としては、暗証番号の変更は不可、照会は普通預金のみで、送金回数は１日に１件である。
【００３３】
（２）ランク「２」は、取引毎の制限金額はキャッシングで５０，０００円、送金で２００，０００円、取引内容としては、暗証番号の変更は不可、照会は普通預金のみで、送金回数は１日に１件である。
【００３４】
（３）ランク「３」は、取引毎の制限金額はキャッシングで１００，０００円、送金で２００，０００円、取引内容としては、暗証番号の変更は不可、照会は普通預金のみで、送金回数は１日に１件である。
【００３５】
（４）ランク「４」は、取引毎の制限金額はキャッシングで３００，０００円、送金で５００，０００円、取引内容としては、暗証番号の変更は不可、照会は普通預金のみで、送金回数は１日に５件である。
【００３６】
（５）ランク「５」は、取引毎の制限金額はキャッシングで７５０，０００円、送金で１，０００，０００円、取引内容としては、暗証番号の変更は可、照会は総合預金までで、送金回数は無制限である。
【００３７】
（６）ランク「６」は、取引毎の制限金額はキャッシングで１，０００，０００円、送金で２，０００，０００円、取引内容としては、暗証番号の変更は可、照会はローンまでで、送金回数も無制限である。
【００３８】
（７）ランク「７」は、取引毎の制限金額はキャッシングで１，０００，０００円、送金で２，０００，０００円、取引内容としては、暗証番号の変更は可、照会は無制限で、送金回数も無制限である。
【００３９】
このように、セキュリティレベルのランクが上がるほど、取引制限が緩くなるようにしている。
【００４０】
次に、ＡＴＭ取引における処理の手順を、図２を参照しながら説明する。
【００４１】
図２は本発明の実施例を示すＡＴＭ取引のフローチャート（その１）、図３はそのＡＴＭ取引のフローチャート（その２）である。
【００４２】
ＡＴＭは、次のいずれかに該当した場合、ランクに応じた取引種別ならびに金額の制限設定テーブルを更新する。
【００４３】
ここでは、取引の内容を利用者が選択後、カードを自動取引装置に挿入する手順での操作を説明する。
【００４４】
（１）まず、開局指示電文を受信したか否かをチェックする（ステップＳ１）。
【００４５】
（２）ステップＳ１において、ＮＯの場合には、ランク別制限指示設定電文を受信したか否かをチェックする（ステップＳ２）。
【００４６】
（３）ステップＳ２において、ＮＯの場合には、内部モニタから設定指示が行われたか否かをチェックする（ステップＳ３）。ＮＯの場合はステップＳ５に進む。
【００４７】
なお、ステップＳ１、ステップＳ２又はステップＳ３においてＹＥＳの場合には、ステップＳ４に進む。
【００４８】
（４）次に、ランク別制限設定処理を行う（ステップＳ４）。
【００４９】
（５）案内表示部１４で初期画面の表示を行う（ステップＳ５）。
【００５０】
（６）次に、利用者は取引選択（ここでは、例として「引き出し」選択）を行う（ステップＳ６）。
【００５１】
（７）次に、案内表示部１４でカード挿入画面表示を行う（ステップＳ７）。
【００５２】
（８）次に、利用者はカードの挿入を行う（ステップＳ８）。
【００５３】
（９）次に、カード読取部１２でカードの種類の判別を行う（ステップＳ９）。
【００５４】
（１０）次に、記憶部１５にカードの種類を記憶する（ステップＳ１０）。
【００５５】
（１１）次に、制御部１６はバイオメトリクス読取識別部１３に虹彩の入力の指示を行う（ステップＳ１１）。
【００５６】
（１２）次に、制御部１６はバイオメトリクス読取部１３で虹彩の入力を行う（ステップＳ１２）。
【００５７】
（１３）次に、制御部１６で本人確認処理を行う（ステップＳ１３）。
【００５８】
（１４）次に、制御部１６でランクつけ処理を行う（ステップＳ１４）。
【００５９】
（１５）次に、記憶部１５にランクを記憶する（ステップＳ１５）。
【００６０】
（１６）次に、制御部１６で当該取引は制限があるか否かをチェックする（ステップＳ１６）。
【００６１】
（１７）ステップＳ１６においてＹＥＳの場合には、利用者にカードを返却して当該取引を中止し、ステップＳ２３へ進む（ステップＳ１７）。
【００６２】
（１８）ステップＳ１６においてＮＯの場合には、引き出し金額の入力指示を行う（ステップＳ１８）。
【００６３】
（１９）次に、利用者は金額の入力を行う（ステップＳ１９）。
【００６４】
（２０）次に、金額は制限以内か否かをチェックする（ステップＳ２０）。
【００６５】
（２１）ステップＳ２０において、ＹＥＳの場合には、ステップＳ２２へ進み、ＮＯの場合には、引き出し金額の再入力の指示を行い、ステップＳ１９へ戻る。（ステップＳ２１）。
【００６６】
（２２）次に、通常の処理に準じる（ステップＳ２２）。
【００６７】
（２３）次に、記憶部１５からカードの種類、ランクをクリアする（ステップＳ２３）。
【００６８】
以上のように、実施例によれば、セキュリティレベルの度合いによって、取引制限を行うことができる。
【００６９】
なお、実施例では、取引選択後にカードを挿入するようにしたが、取引選択前にカードを先行して挿入する手順でも、以下のように同様に扱うことができる。
【００７０】
（１）まず、利用者はＡＴＭ本体１１のカード読取部１２にカードを挿入する。
【００７１】
（２）画面（案内表示部１４）の案内にしたがって希望する取引を選択する。
【００７２】
（３）ＡＴＭ本体１１は挿入されたカードを識別し、同時に暗証番号入力あるいは指紋照合などの入力、あるいはその両方の本人認証入力を促す案内を表示し、本人確認を行う。
【００７３】
（４）ＡＴＭ本体１１はカードの種類と入力された本人照合データから、ランク付けを行う。
【００７４】
（５）ランクに応じた取引種別ならびに取引限度額を表示する。扱えない取引を選択していた場合は、取引不可を通知してカードを返却する。
【００７５】
なお、本発明は上記実施例に限定されるものではなく、本発明の趣旨に基づいて種々の変形が可能であり、これらを本発明の範囲から排除するものではない。
【産業上の利用可能性】
【００７６】
本発明の自動取引装置及び自動取引システムは、本人であることを確認できる確率の高さ、セキュリティの高さに応じた取引限度額の設定を行うことができ、安全な取り引きを行う自動取引装置として利用可能である。
【図面の簡単な説明】
【００７７】
【図１】本発明の実施例を示す自動取引装置の取引制御システムの構成図である。
【図２】本発明の実施例を示すＡＴＭ取引のフローチャート（その１）である。
【図３】本発明の実施例を示すＡＴＭ取引のフローチャート（その２）である。
【符号の説明】
【００７８】
１１    ＡＴＭ本体
１２    カード読取部
１３    虹彩認識などのバイオメトリクス読取識別部
１４    液晶タッチパネル画面などの案内表示部ならびに入力部
１５    記憶部
１６    制御部
１７    設定テーブル
１８    送受信部
１９    銀行のホストセンター
【図１】
2008305426.tif 000005
【図２】
2008305426.tif 000006
【図３】
2008305426.tif 000007
【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
顧客が挿入可能な磁気カードと、非接触型ＩＣカード又は接触型ＩＣカードとからなる異なるカードの種類を識別するカード読取部と、
暗証番号及びバイオメトリクス情報からなる異なった種類の本人照合データを入力可能な本人照合データ入力部と、
前記カードの種類と前記本人照合データにより取引を制限するための情報である取引制限情報を記憶する記憶部と、
前記顧客が挿入したカードの種類および前記本人照合データ入力部により入力された本人照合データの種類に応じて可能な取引を設定する取引設定部とを有し、
前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行することを特徴とする自動取引装置。
【請求項２】
顧客が挿入可能な磁気カードと、非接触型ＩＣカード又は接触型ＩＣカードとからなる異なるカードの種類を識別するカード読取部と、
暗証番号及びバイオメトリクス情報からなる異なった種類の本人照合データを入力可能な本人照合データ入力部と、
前記カードの種類と前記本人照合データにより取引を制限するための情報である取引制限情報を記憶する記憶部と、
前記顧客が挿入したカードの種類および前記本人照合データ入力部により入力された本人照合データの種類に応じて可能な取引を設定する取引設定部とを有し、
前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合は取引制限額を低く設定し、前記本人照合データが暗証番号とバイオメトリクス情報との併用であった場合は取引制限額を高く設定し、前記取引設定部により設定した取引を実行することを特徴とする自動取引装置。
【請求項３】
顧客が挿入可能な磁気カードと、非接触型ＩＣカード又は接触型ＩＣカードとからなる異なるカードの種類を識別するカード読取部と、
暗証番号及びバイオメトリクス情報からなる異なった種類の本人照合データを入力可能な本人照合データ入力部と、
前記カードの種類と前記本人照合データにより取引を制限するための情報である取引制限情報を記憶する記憶部と、
前記顧客が挿入したカードの種類および前記本人照合データ入力部により入力された本人照合データの種類に応じて可能な取引を設定する取引設定部と、
該取引設定部に接続されるとともに、銀行のホストセンターとの送受信を行う送受信部とを有し、
前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行することを特徴とする自動取引システム。
【請求項４】
顧客が挿入可能な磁気カードと、非接触型ＩＣカード又は接触型ＩＣカードとからなる異なるカードの種類を識別するカード読取部と、
暗証番号及びバイオメトリクス情報からなる異なった種類の本人照合データを入力可能な本人照合データ入力部と、
前記カードの種類と前記本人照合データにより取引を制限するための情報である取引制限情報を記憶する記憶部と、
前記顧客が挿入したカードの種類および前記本人照合データ入力部により入力された本人照合データの種類に応じて可能な取引を設定する取引設定部とを有し、
該取引設定部に接続されるとともに、銀行のホストセンターとの送受信を行う送受信部とを有し、
前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合は取引制限額を低く設定し、前記本人照合データが暗証番号とバイオメトリクス情報との併用であった場合は取引制限額を高く設定し、前記取引設定部により設定した取引を実行することを特徴とする自動取引システム。
【手続補正２】
【補正対象書類名】明細書
【補正対象項目名】全文
【補正方法】変更
【補正の内容】
【発明の詳細な説明】
【技術分野】
【０００１】
本発明は、自動取引装置及び自動取引システムに係り、特に、金融機関やクレジットカード会社等の現金自動預払機（ＡＴＭ）など、利用者が各自で金融取引を行うセルフ操作型社会公共機器などに関するものである。
【背景技術】
【０００２】
従来、ＡＴＭで用いられる本人確認は、磁気カードと暗証番号で行われているのが一般的である。
【０００３】
しかしながら、磁気カードは、磁気ストライプ上のデータの読み取りや偽造が容易である上に、利用者は暗証番号を覚えやすくするため、誕生日など、他人に予測されやすい数字を使っている場合が多い。したがって、セキュリティが低い状態での運用となっており、カードの盗難や紛失により、悪用される可能性が高いのが現状である。
【特許文献１】なし
【発明の開示】
【発明が解決しようとする課題】
【０００４】
さらに、ＡＴＭなどの取引限度額は、利用者の取引額の多少と関わりなく、機器状態や稼働時間、自行他行の違いなどのシステム側の都合や、磁気ストライプ上のデータから判断するカードの種類や顧客情報などにより一律に決められている。
【０００５】
したがって、取引額の多い利用者ほど偽のカード所持者が本人になりすまして利用した場合には、通常時の本人利用と同様に取引できてしまい、カード所有者本人の被害が大きいという問題がある。
【０００６】
だからといって、一律に利用額を低く設定すると利便性が減少してしまう。
【０００７】
そこで、セルフ操作型社会公共機器において、本人であることを確認できる確率の高さ、セキュリティの度合いに応じた取引限度額の設定が望まれている。
【０００８】
本発明は、上記状況に鑑み、本人であることを確認できる確率の高さ、セキュリティの度合いに応じた取引限度額の設定を行うことができ、安全な取り引きが可能な自動取引装置及び自動取引システムを提供することを目的とするものである。
【課題を解決するための手段】
【０００９】
本発明は、上記目的を達成するために、
〔１〕自動取引装置において、顧客が挿入可能な磁気カードと、非接触型ＩＣカード又は接触型ＩＣカードとからなる異なるカードの種類を識別するカード読取部と、暗証番号及びバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行することを特徴とする。
【００１０】
〔２〕自動取引装置において、顧客が挿入可能な磁気カードと、非接触型ＩＣカード又は接触型ＩＣカードとからなる異なるカードの種類を識別するカード読取部と、暗証番号及びバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合は取引制限額を低く設定し、前記本人照合データが暗証番号とバイオメトリクス情報との併用であった場合は取引制限額を高く設定し、前記取引設定部により設定した取引を実行することを特徴とする。
【００１１】
〔３〕自動取引システムにおいて、顧客が挿入可能な磁気カードと、非接触型ＩＣカード又は接触型ＩＣカードとからなる異なるカードの種類を識別するカード読取部と、暗証番号及びバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部と、この取引設定部に接続されるとともに、銀行のホストセンターとの送受信を行う送受信部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行することを特徴とする。
【００１２】
〔４〕自動取引システムにおいて、顧客が挿入可能な磁気カードと、非接触型ＩＣカード又は接触型ＩＣカードとからなる異なるカードの種類を識別するカード読取部と、暗証番号及びバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部とを有し、この取引設定部に接続されるとともに、銀行のホストセンターとの送受信を行う送受信部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合は取引制限額を低く設定し、前記本人照合データが暗証番号とバイオメトリクス情報との併用であった場合は取引制限額を高く設定し、前記取引設定部により設定した取引を実行することを特徴とする。
【発明の効果】
【００１３】
本発明によれば、自動取引装置及び自動取引システムにおいて、本人であることを確認できる確率の高さ、セキュリティの高さに応じた取引限度額の設定を行うことができ、安全な取り引きを行うことができる。
【発明を実施するための最良の形態】
【００１４】
本発明の自動取引装置は、顧客が挿入可能な磁気カードと、非接触型ＩＣカード又は接触型ＩＣカードとからなる異なるカードの種類を識別するカード読取部と、暗証番号及びバイオメトリクス情報からなる異なった種類の本人照合データを入力可能な本人照合データ入力部と、前記カードの種類と前記本人照合データにより取引を制限するための情報である取引制限情報を記憶する記憶部と、前記顧客が挿入したカードの種類および前記本人照合データ入力部により入力された本人照合データの種類に応じて可能な取引を設定する取引設定部とを有し、前記取引設定部は、前記カード読取部により識別されたカードの種類及び前記本人照合データ入力部により入力された本人照合データの種類との組み合わせ条件によるセキュリティレベルのランクに応じた取引制限が記憶されている前記取引制限情報に基づいて、前記本人照合データが暗証番号のみの場合はランクの低い取引制限に設定し、前記本人照合データが暗証番号とバイオメトリクス情報との併用であった場合はランクの高い取引制限に設定し、前記取引設定部により設定した取引を実行する。
【実施例】
【００１５】
以下、本発明の実施の形態について説明する。
【００１６】
図１は本発明の実施例を示す自動取引装置の取引制御システムの構成図である。
【００１７】
この図において、１１はＡＴＭ本体、１２はカード読取部、１３は虹彩認識などのバイオメトリクス読取識別部、１４は液晶タッチパネル画面などの案内表示部ならびに入力部、１５は記憶部、１６は制御部、１７は設定テーブル、１８は送受信部、１９は銀行のホストセンターである。この送受信部１８から銀行のホストセンター１９へ通信される。
【００１８】
以下、図１を参照しながら動作を説明する。
【００１９】
（ｉ）まず、利用者はＡＴＭ本体１１の入力部１４で希望する取引を選択する。すなわち、
（ii）画面（案内表示部１４）の案内にしたがってカード読取部１２にカードを挿入する。
【００２０】
（iii ）ＡＴＭ本体１１のカード読取部１２は挿入されたカードの種類を識別し、記憶部１５はカードの種類を記憶する。
【００２１】
（iv）同時に暗証番号入力あるいは虹彩照合などの入力、あるいはその両方の本人認証入力を促す案内を案内表示部１４に表示し、バイオメトリクス読取識別部１３で本人の確認を行う。
【００２２】
（ｖ）ＡＴＭ本体１１の制御部１６はカードの種類と、入力された本人照合データから、ランク付けを行い記憶部１５にランクを記憶する（暗証番号の場合は直ちにあるいは取引許可要求電文送信時に、虹彩の場合は直ちに本人確認を行う）。
【００２３】
（vi）ＡＴＭ本体１１は案内表示部１４にランクに応じた取引種別ならびに取引限度額を表示し、通常の処理に準じた処理を行う。扱えない取引を選択していた場合は、取引不可を利用者に通知してカードを返却する。
【００２４】
（vii ）カードの種類、ランクのデータを記憶部１５からクリアして取引を終了する。
【００２５】
ここで、表１はセキュリティレベルのランク付けの例、表２は取引制限設定の例である。
【００２６】
【表１】
2008305426.tif 000008
【００２７】
【表２】
2008305426.tif 000009
まず、表１に示されるように、本発明では、セキュリティレベルの度合いに応じて「１」〜「７」のランク付けを行う。数字が大きくなるほどセキュリティレベルも上がる。
【００２８】
（１）ＭＳ（磁気カード）の場合で暗証番号のみの場合はセキュリティレベルは「１」、バイオメトリクス併用の場合はセキュリティレベルは「２」である。
【００２９】
（２）非接触型カードの場合でマイクロ波、近傍型の場合は、セキュリティレベルは無し、近接型の場合で暗証番号のみの場合はセキュリティレベルは「２」、バイオメトリクスのみの場合はセキュリティレベルは「１」、バイオメトリクス併用の場合はセキュリティレベルは「３」、密着型で暗証番号のみの場合はセキュリティレベルは「５」、バイオメトリクスのみの場合はセキュリティレベルは「４」、バイオメトリクス併用の場合はセキュリティレベルは「６」である。
【００３０】
（３）接触型ＩＣカードの場合で暗証番号のみの場合はセキュリティレベルは「６」、バイオメトリクスのみの場合はセキュリティレベルは「５」、バイオメトリクス併用の場合はセキュリティレベルは「７」である。
【００３１】
そのセキュリティレベルのランクに対応する取引制限設定の例は表２に示されている。
【００３２】
（１）ランク「１」は、取引毎の制限金額はキャッシングで２０，０００円、送金で１００，０００円、取引内容としては、暗証番号の変更は不可、照会は普通預金のみで、送金回数は１日に１件である。
【００３３】
（２）ランク「２」は、取引毎の制限金額はキャッシングで５０，０００円、送金で２００，０００円、取引内容としては、暗証番号の変更は不可、照会は普通預金のみで、送金回数は１日に１件である。
【００３４】
（３）ランク「３」は、取引毎の制限金額はキャッシングで１００，０００円、送金で２００，０００円、取引内容としては、暗証番号の変更は不可、照会は普通預金のみで、送金回数は１日に１件である。
【００３５】
（４）ランク「４」は、取引毎の制限金額はキャッシングで３００，０００円、送金で５００，０００円、取引内容としては、暗証番号の変更は不可、照会は普通預金のみで、送金回数は１日に５件である。
【００３６】
（５）ランク「５」は、取引毎の制限金額はキャッシングで７５０，０００円、送金で１，０００，０００円、取引内容としては、暗証番号の変更は可、照会は総合預金までで、送金回数は無制限である。
【００３７】
（６）ランク「６」は、取引毎の制限金額はキャッシングで１，０００，０００円、送金で２，０００，０００円、取引内容としては、暗証番号の変更は可、照会はローンまでで、送金回数も無制限である。
【００３８】
（７）ランク「７」は、取引毎の制限金額はキャッシングで１，０００，０００円、送金で２，０００，０００円、取引内容としては、暗証番号の変更は可、照会は無制限で、送金回数も無制限である。
【００３９】
このように、セキュリティレベルのランクが上がるほど、取引制限が緩くなるようにしている。
【００４０】
次に、ＡＴＭ取引における処理の手順を、図２を参照しながら説明する。
【００４１】
図２は本発明の実施例を示すＡＴＭ取引のフローチャート（その１）、図３はそのＡＴＭ取引のフローチャート（その２）である。
【００４２】
ＡＴＭは、次のいずれかに該当した場合、ランクに応じた取引種別ならびに金額の制限設定テーブルを更新する。
【００４３】
ここでは、取引の内容を利用者が選択後、カードを自動取引装置に挿入する手順での操作を説明する。
【００４４】
（１）まず、開局指示電文を受信したか否かをチェックする（ステップＳ１）。
【００４５】
（２）ステップＳ１において、ＮＯの場合には、ランク別制限指示設定電文を受信したか否かをチェックする（ステップＳ２）。
【００４６】
（３）ステップＳ２において、ＮＯの場合には、内部モニタから設定指示が行われたか否かをチェックする（ステップＳ３）。ＮＯの場合はステップＳ５に進む。
【００４７】
なお、ステップＳ１、ステップＳ２又はステップＳ３においてＹＥＳの場合には、ステップＳ４に進む。
【００４８】
（４）次に、ランク別制限設定処理を行う（ステップＳ４）。
【００４９】
（５）案内表示部１４で初期画面の表示を行う（ステップＳ５）。
【００５０】
（６）次に、利用者は取引選択（ここでは、例として「引き出し」選択）を行う（ステップＳ６）。
【００５１】
（７）次に、案内表示部１４でカード挿入画面表示を行う（ステップＳ７）。
【００５２】
（８）次に、利用者はカードの挿入を行う（ステップＳ８）。
【００５３】
（９）次に、カード読取部１２でカードの種類の判別を行う（ステップＳ９）。
【００５４】
（１０）次に、記憶部１５にカードの種類を記憶する（ステップＳ１０）。
【００５５】
（１１）次に、制御部１６はバイオメトリクス読取識別部１３に虹彩の入力の指示を行う（ステップＳ１１）。
【００５６】
（１２）次に、制御部１６はバイオメトリクス読取部１３で虹彩の入力を行う（ステップＳ１２）。
【００５７】
（１３）次に、制御部１６で本人確認処理を行う（ステップＳ１３）。
【００５８】
（１４）次に、制御部１６でランクつけ処理を行う（ステップＳ１４）。
【００５９】
（１５）次に、記憶部１５にランクを記憶する（ステップＳ１５）。
【００６０】
（１６）次に、制御部１６で当該取引は制限があるか否かをチェックする（ステップＳ１６）。
【００６１】
（１７）ステップＳ１６においてＹＥＳの場合には、利用者にカードを返却して当該取引を中止し、ステップＳ２３へ進む（ステップＳ１７）。
【００６２】
（１８）ステップＳ１６においてＮＯの場合には、引き出し金額の入力指示を行う（ステップＳ１８）。
【００６３】
（１９）次に、利用者は金額の入力を行う（ステップＳ１９）。
【００６４】
（２０）次に、金額は制限以内か否かをチェックする（ステップＳ２０）。
【００６５】
（２１）ステップＳ２０において、ＹＥＳの場合には、ステップＳ２２へ進み、ＮＯの場合には、引き出し金額の再入力の指示を行い、ステップＳ１９へ戻る。（ステップＳ２１）。
【００６６】
（２２）次に、通常の処理に準じる（ステップＳ２２）。
【００６７】
（２３）次に、記憶部１５からカードの種類、ランクをクリアする（ステップＳ２３）。
【００６８】
以上のように、実施例によれば、セキュリティレベルの度合いによって、取引制限を行うことができる。
【００６９】
なお、実施例では、取引選択後にカードを挿入するようにしたが、取引選択前にカードを先行して挿入する手順でも、以下のように同様に扱うことができる。
【００７０】
（１）まず、利用者はＡＴＭ本体１１のカード読取部１２にカードを挿入する。
【００７１】
（２）画面（案内表示部１４）の案内にしたがって希望する取引を選択する。
【００７２】
（３）ＡＴＭ本体１１は挿入されたカードを識別し、同時に暗証番号入力あるいは指紋照合などの入力、あるいはその両方の本人認証入力を促す案内を表示し、本人確認を行う。
【００７３】
（４）ＡＴＭ本体１１はカードの種類と入力された本人照合データから、ランク付けを行う。
【００７４】
（５）ランクに応じた取引種別ならびに取引限度額を表示する。扱えない取引を選択していた場合は、取引不可を通知してカードを返却する。
【００７５】
なお、本発明は上記実施例に限定されるものではなく、本発明の趣旨に基づいて種々の変形が可能であり、これらを本発明の範囲から排除するものではない。
【産業上の利用可能性】
【００７６】
本発明の自動取引装置及び自動取引システムは、本人であることを確認できる確率の高さ、セキュリティの高さに応じた取引限度額の設定を行うことができ、安全な取り引きを行う自動取引装置として利用可能である。
【図面の簡単な説明】
【００７７】
【図１】本発明の実施例を示す自動取引装置の取引制御システムの構成図である。
【図２】本発明の実施例を示すＡＴＭ取引のフローチャート（その１）である。
【図３】本発明の実施例を示すＡＴＭ取引のフローチャート（その２）である。
【符号の説明】
【００７８】
１１    ＡＴＭ本体
１２    カード読取部
１３    虹彩認識などのバイオメトリクス読取識別部
１４    液晶タッチパネル画面などの案内表示部ならびに入力部
１５    記憶部
１６    制御部
１７    設定テーブル
１８    送受信部
１９    銀行のホストセンター